(57)【要約】      （修正有）【課題】給湯器の風呂リモコンと台所リモコンとの通話距離を長くすることが可能な給湯システムを提供する。【解決手段】第１、第２のリモコンと、給電手段を有する給湯器本体とからなる給湯システムにおいて、第１及び第２のリモコンは、音声を高周波搬送波に変調する変調手段と、高周波被変調信号から音声を復調する復調手段と、変調手段の出力を増幅する高周波増幅器と、高周波増幅器とリモコン回線との間に位置する送信用帯域通過フィルタと、リモコン回線に接続した帯域除去フィルタと、帯域除去フィルタと復調手段との間に位置する受信用帯域通過フィルタとからなり、帯域除去フィルタは、変調手段の出力する周波数を除去し、ＲＦアンプによって回線と電源による減衰を補い通話距離を伸ばし、受信用帯域除去フィルタによって受信Ｄ／Ｕ比を確保し、受信用帯域通過フィルタによってスプリアスを低減する。【選択図】図１
2012085017.tif 000002
【特許請求の範囲】
【請求項１】
第１のリモコンと、第２のリモコンと、給電手段を有する給湯器本体とからなる給湯システムにおいて、
前記第１のリモコン及び第２のリモコンは、音声を高周波搬送波に変調する変調手段と、高周波被変調信号から音声を復調する復調手段と、前記変調手段の出力を増幅する高周波増幅器と、前記高周波増幅器とリモコン回線との間に位置する送信用帯域通過フィルタと、リモコン回線に接続した帯域除去フィルタと、前記帯域除去フィルタと前記復調手段との間に位置する受信用帯域通過フィルタとからなり、
前記帯域除去フィルタは、前記変調手段の出力する周波数を除去する事を特徴とした給湯システム。
【請求項２】
データを基底帯域信号で送受信するデータ送受信手段と、音声を前記規定帯域とは異なる周波数の搬送波に変調する変調手段と、被変調信号から音声を復調する復調手段と、前記変調手段の出力を増幅する高周波増幅器と、前記高周波増幅器とインターホン回線との間に位置する送信用帯域通過フィルタと、インターホン回線に接続した帯域除去フィルタと、前記帯域除去フィルタと前記復調手段との間に位置する受信用帯域通過フィルタとからなり、
前記帯域除去フィルタは、前記変調手段の出力する周波数を除去する事を特徴としたインターホン。
【請求項３】
請求項１の給湯システムであって、前記送信用帯域通過フィルタ及び、前記受信用帯域通過フィルタは、インダクタンスとコンデンサ２個の３素子からなる
ことを特徴とした給湯システム。
【請求項４】
請求項１または３の給湯システムであって、前記帯域除去フィルタは、インダクタンスとコンデンサと抵抗２個の４素子からなることを特徴とした給湯システム。
【請求項５】
請求項１、３または４の給湯システムであって、前記帯域除去フィルタと前記復調手段との間に低域通過フィルタが位置することを特徴とした給湯システム。
【請求項６】
請求項２のインターホンであって、前記送信用帯域通過フィルタ及び前記受信用帯域通過フィルタは、インダクタンスとコンデンサ２個の３素子からなることを特徴としたインターホン。
【請求項７】
請求項２または６のインターホンであって、前記帯域除去フィルタは、インダクタンスとコンデンサと抵抗２個の４素子からなることを特徴としたインターホン。
【請求項８】
請求項２、６または７のインターホンであって、前記帯域除去フィルタと前記復調手段との間に低域通過フィルタが位置することを特徴としたインターホン。
【発明の詳細な説明】
【技術分野】
【０００１】
この発明は、給湯システム、例えば、エコキュート給湯システムに関する。
【背景技術】
【０００２】
給湯器本体と風呂や台所に設置されたリモコンとを接続する給湯器において、制御信号の伝送のみならず、音声による通話が可能になっている。
【０００３】
この種の従来技術は、特許文献１に記載の風呂及び台所リモコンに給湯器制御用リモコン信号送出機能を有し、かつ台所と風呂間でのインターホン機能を有する技術がある。
【先行技術文献】
【特許文献】
【０００４】
【特許文献１】特開平８−１２６０６８号公報
【発明の概要】
【発明が解決しようとする課題】
【０００５】
風呂リモコンと台所リモコンとの通話中に、風呂から給湯器本体へ、台所から風呂へと言うように制御信号を送る必要がある。
【０００６】
これは例えば制御データ信号は低周波信号で、音声信号は高周波信号で伝送する周波数多重方式によって実現できる。
【０００７】
この時、給湯器と風呂リモコン、または、風呂リモコンと台所リモコンとの配線距離が長い場合は、高周波信号が減衰し通話ができなくなる問題がある。
【０００８】
従来技術はこの点に対して、具体的に示されていない。
【課題を解決するための手段】
【０００９】
上記課題を解決するために、例えば、特許請求の範囲に記載の構成を採用する。
【発明の効果】
【００１０】
本発明によれば、通話中に制御データ伝送が可能でかつ、給湯器本体と風呂リモコン、台所リモコンとの配線距離を長く配線する事が可能な給湯システムを提供できる。
【図面の簡単な説明】
【００１１】
【図１】本発明の第１実施例のＲＦ回路を示す図である。
【図２】本発明の第１実施例である給湯器を示す図である。
【図３】本発明の第１実施例のＲＦ回路の信号スペクトラムを示す図である。
【図４】本発明の第２実施例のＢＰＦを示す図である。
【図５】本発明の第２実施例のトラップフィルタを示す図である。
【図６】本発明の第３実施例のＲＦ回路を示す図である。
【発明を実施するための形態】
【実施例１】
【００１２】
図１に、本発明の一実施例である、RF回路を示す。
【００１３】
図１において、１０はＲＦ回路、１１はＦＭ変調器、１２はＲＦアンプ、１３は送信バンドパスフィルタＢＰＦ、１４はトラップフィルタ（帯域除去フィルタ）、１５は受信バンドパスフィルタＢＰＦ、１６はＦＭ復調器、４３は送信信号と受信信号とが交わる共通ラインパターン（プリント印刷基板上の印刷配線）である。
【００１４】
図２に、本発明の一実施例である給湯器を示す。
【００１５】
図２において、２０は風呂リモコン、３０は台所リモコン、４０は給湯器本体、３１は電源回路、３２は端子台、３３はリモコンケーブル、３５はＲＦ回路１０へマイク（図示せず）からの音声を出力し、ＲＦ回路１０からの音声信号をスピーカ（図示せず）へ出力する音声回路である。
【００１６】
風呂リモコン２０中の３６は給湯器本体４０や台所リモコンへ各種データを送受信するデータ伝送回路であり、台所リモコン３０も同様のデータ通信回路３６を有している。
【００１７】
３９は２芯線であるリモコンケーブル３３のどちらかに印加されている＋１２Ｖ電源を基板内の共通ラインパターン４３へ供給するための無極性回路である。
【００１８】
電源回路３１からの＋１２Ｖ電源は、共通ラインパターン４３（プリント基板上の印刷配線）を通って電源レギュレータ３７に入力され、電源レギュレータ３７の出力は制御回路３８や他の回路へ供給される。
【００１９】
この給湯器において、風呂リモコン２０と台所リモコン３０との通話は、全２重通信、周波数多重方式で行われる。
【００２０】
具体的には、音声回路３５からの音声信号はＲＦ回路１０で高周波搬送波（４．５ＭＨｚ）にＦＭ変調されて出力される。この４．５ＭＨｚ送信信号Ｆｔは、共通ラインパターン４３を伝わり、無極性回路３９を経由してリモコンケーブル３３へ出力される。
【００２１】
台所リモコン３０はこの４．５ＭＨｚ送信信号を受信し、ＲＦ回路５０で音声信号に復調する。
【００２２】
復調された音声信号は、音声回路３５からスピーカへ出力される。
【００２３】
台所リモコン３０側のマイクで入力された音声は、６．５ＭＨz搬送信号に変調され、同様に伝送されて、風呂リモコン２０の音声回路３５からスピーカへ出力される。
【００２４】
次に図１においてＲＦ回路１０の動作を説明する。
【００２５】
マイクからの音声は、ＦＭ変調器１１で高周波搬送波（４．５ＭＨｚ）にＦＭ変調され、ＲＦアンプ１２で増幅され、送信ＢＰＦ１３により帯域制限されて共通ラインパターン４３へ出力される。
【００２６】
一方、台所リモコンから送信された６．５ＭＨｚFM被変調信号は、共通ラインパターン４３で４．５ＭＨｚ被変調信号と混合した後、トラップフィルタ１４へ入力され、４．５ＭＨｚ成分が除去される。
【００２７】
再び図２において、風呂リモコン２０の４．５ＭＨｚ信号は、リモコンケーブル３３上では電源回路３１の出力インピーダンスが低いために減衰し、さらにリモコンケーブル３３の伝播損失によっても減衰して、台所リモコン３０の受信信号Ｆｒとなる。
【００２８】
台所リモコン３０からの６．５ＭＨｚも同様に減衰して、風呂リモコンの２０の受信信号Ｆｒとなる。
【００２９】
このように、給湯器での高周波信号の減衰を補い、必要な通信距離を確保するのがＲＦアンプ１２である。
【００３０】
次に図３はＲＦ回路１０の各点における信号スペクトラムを示した図であり、本図を用いて、風呂リモコンの４．５ＭＨｚ信号レベルと６．５ＭＨｚ信号レベルを説明する。
【００３１】
ＦM変調器１１は４．５ＭＨz信号５１を出力し、ＲＦアンプ１２は図示のように４．５ＭＨｚ信号５１を増幅する。この時４．５ＭＨｚ信号の２次高調波５２が発生する。
【００３２】
送信ＢＰＦ１３は、図示のように２次高調波５２を減衰させる。
【００３３】
この共通ラインパターン上では、台所リモコンからの受信信号である６．５ＭＨｚ信号５３が存在し、かつＲＦアンプ１２の非線形特性により、４．５ＭＨｚ信号と６．５ＭＨｚ信号のビート成分である２ＭＨｚ信号５４が存在する。
【００３４】
受信動作は、トラップフィルタ１４は共通ラインパターン４３上の信号から、４．５ＭＨｚだけを選択的に減衰させる。この結果、受信信号６．５ＭＨｚのレベルは送信信号４．５ＭＨｚより大きくなる。
【００３５】
次に受信ＢＰＦ１５により、２次高調波５２及びビート成分２ＭＨｚが減衰されて、ＦＭ復長期１６に入力される。
【００３６】
このＦＭ復調器１６の入力点では、図示のように十分なＤ／Ｕ比（希望信号とスプリアスとの比）が確保される。
【００３７】
この様に動作するため、本発明の給湯器は、風呂リモコンと台所リモコンとの設置距離を長くでき、かつ送信用ＲＦアンプによって発生するビート成分の影響を排除して通話可能である。
【実施例２】
【００３８】
図４に本発明の第２実施例であるＢＰＦを示す。
【００３９】
図４において、６１はチップ型インダクタ、６２、６３はチップ型コンデンサであり、図１における送信ＢＰＦ１３と中心周波数、通過帯域幅は同じである。
【００４０】
また、受信ＢＰＦ１５も同様の回路構成によって実現可能である。
【００４１】
この様に、各ＢＰＦを３素子で構成する事により、安価に給湯器を提供できる。
【実施例３】
【００４２】
図５に本発明の第３実施例であるトラップフィルタを示す。
【００４３】
図５において、６４はチップ型コンデンサ、６５はチップ型インダクタ、６６、６７はチップ型抵抗であり、図１におけるトラップフィルタ１４と中心周波数、通過帯域幅は同じである。
【００４４】
この様に、トラップフィルタを４素子で構成する事により、安価に給湯器を提供できる。
【実施例４】
【００４５】
図６に本発明の第３実施例であるＲＦ回路を示す。
【００４６】
図６において、７１は低域通過フィルタＬＰＦであり、カットオフ周波数は、送信周波数Ｆｔに対し、１．１〜１．２倍である。
【００４７】
４．５ＭＨｚの場合は、カットオフ周波数＝５．４ＭＨｚ
図２のビート成分５４は、ＲＦアンプ１２の線形性が良い場合はレベルが小さく、復調器１６にとって妨害成分とならない。
【００４８】
従って、２次高調波５２のみ除去すればよいため、ＬＰＦ７１を使う事ができる。
【００４９】
高価なＢＰＦではなく、安価なＬＰＦ７１を用いる事で、安価な給湯器を実現可能である。
【符号の説明】
【００５０】
１０…ＲＦ回路
１１…ＦＭ変調器
１２…ＲＦアンプ
１３…送信用ＢＰＦ
１４…トラップフィルタ
１５…受信用ＢＰＦ
１６…ＦＭ復調器
【図１】
2012085017.tif 000003
【図２】
2012085017.tif 000004
【図３】
2012085017.tif 000005
【図４】
2012085017.tif 000006
【図５】
2012085017.tif 000007
【図６】
2012085017.tif 000008